(57)【特許請求の範囲】
【請求項１】
蓄電池パックの制御方法であって、
前記蓄電池パックが備える第１の無線通信器と通信可能な無線通信器を備える第１の情報端末が前記第１の無線通信器に近接すると、前記蓄電池パックの内部または外部に設けられた記憶装置に記憶された、前記蓄電池パックに関する情報を取得可能な情報端末が登録される登録情報に、前記第１の情報端末を、前記登録情報の変更が可能か否かに種別して登録する、
蓄電池パックの制御方法。
【請求項２】
前記第１の情報端末は、前記第１の情報端末が前記蓄電池パックの使用者を示す第１の識別情報を保持しているか否かに応じて種別される、
請求項１記載の蓄電池パックの制御方法。
【請求項３】
前記第１の情報端末が、前記蓄電池パックの使用者を示す第１の識別情報を保持しているとき、
前記第１の情報端末は、前記登録情報を変更可能な第１種別の情報端末として登録される、
請求項２記載の蓄電池パックの制御方法。
【請求項４】
前記第１種別の情報端末は、前記登録情報を変更可能であり、かつ、前記蓄電池パックから前記蓄電池パックに関する情報の取得が可能な情報端末である、
請求項３記載の蓄電池パックの制御方法。
【請求項５】
前記第１の情報端末が、前記蓄電池パックの使用者を示す第１の識別情報を保持していないとき、
前記第１の情報端末は、前記登録情報を変更不可能な第２種別の情報端末として登録される、
請求項２記載の蓄電池パックの制御方法。
【請求項６】
前記第２種別の情報端末は、前記蓄電池パックから前記登録情報と異なる、前記蓄電池パックに関する他の情報を取得することが可能である、
請求項５記載の蓄電池パックの制御方法。
【請求項７】
前記蓄電池パックに関する情報は、前記蓄電池パックの状態を示す情報である、
請求項１〜５のいずれか１項に記載の蓄電池パックの制御方法。
【請求項８】
前記蓄電池パックに関する情報は、前記蓄電池パックが搭載されている電気機器に関する情報である、
請求項１〜５のいずれか１項に記載の蓄電池パックの制御方法。
【請求項９】
前記第１種別の情報端末として登録された前記第１の情報端末から前記登録情報の変更の指示を受信すると、前記登録情報の内容を変更する
請求項３または４記載の蓄電池パックの制御方法。
【請求項１０】
前記第１の無線通信器が前記第１の識別情報を受信し、
前記第１の識別情報を受信した後の所定時間内に、前記第１の識別情報を保持していない前記第１の情報端末が前記第１の無線通信器に近接すると、前記第１の情報端末を、前記第２種別の情報端末として前記登録情報に登録する、
請求項５または６記載の蓄電池パックの制御方法。
【請求項１１】
前記第１の無線通信器が前記第１の識別情報を受信し、
前記第１の識別情報を受信した後の所定時間内に、前記第１の識別情報を保持している前記第１の情報端末が前記第１の無線通信器に近接すると、前記第１の情報端末を、前記第１種別の情報端末として前記登録情報に登録する、
請求項３または４記載の蓄電池パックの制御方法。
【請求項１２】
前記第１の識別情報を保持しておらず、かつ、前記第１の識別情報と異なる第２の識別情報を保持している前記第１の情報端末が近接すると、前記第１の情報端末を前記第２種別の情報端末として前記登録情報に登録する、
請求項１０記載の蓄電池パックの制御方法。
【請求項１３】
前記蓄電池パックに関する他の情報は、前記蓄電池パックの状態を示す情報である、
請求項６記載の蓄電池パックの制御方法。
【請求項１４】
前記蓄電池パックに関する他の情報は、前記蓄電池パックが搭載されている電気機器に関する情報である、
請求項６記載の蓄電池パックの制御方法。
【請求項１５】
前記第１の無線通信器と通信可能な無線通信器を備え、かつ、前記第１の識別情報を保持する第２の情報端末が前記第１の無線通信器に近接することで、前記第１の無線通信器が前記第１の識別情報を受信する、
請求項１０〜１２のいずれか１項に記載の蓄電池パックの制御方法。
【請求項１６】
外部機器が前記第１の無線通信器に近接することで、前記第１の無線通信器が前記第１の識別情報を受信し、
前記外部機器は、前記第１の無線通信器と通信可能な無線通信器を備える機器であって、前記第１の識別情報を保持し、かつ、前記登録情報を参照不能な機器である、
請求項１０〜１２のいずれか１項に記載の蓄電池パックの制御方法。
【請求項１７】
前記第１の情報端末を前記第１種別の情報端末として前記登録情報に登録する前に、識別情報を前記記憶装置に記憶し、
前記第１の情報端末が近接すると、前記第１の情報端末が保持する前記第１の識別情報を取得し、
取得された前記第１の識別情報と記憶された前記識別情報とを照合し、
前記照合の結果、取得された前記第１の識別情報と、記憶された前記識別情報とが一致すると、前記第１の情報端末を前記第１種別の情報端末として前記登録情報に登録する、
請求項３または４記載の蓄電池パックの制御方法。
【請求項１８】
前記第１の無線通信器と通信可能な無線通信器を備える外部機器であって、前記第１の識別情報を保持し、かつ、前記登録情報を参照不能な外部機器が前記第１の無線通信器に近接することで、前記識別情報が前記記憶装置に記憶される、
請求項１７記載の蓄電池パックの制御方法。
【請求項１９】
前記第１の情報端末が近接すると、前記第１の情報端末から前記第１の無線通信器を介して前記第１の識別情報を取得し、取得した前記第１の識別情報が適正か否かを判定し、
適正であると判定されると、前記第１の情報端末を前記第１種別の情報端末として前記登録情報に登録する、
請求項３または４記載の蓄電池パックの制御方法。
【請求項２０】
前記第１の情報端末が近接すると、前記第１の情報端末から前記第１の無線通信器を介して前記第１の識別情報を取得し、取得した前記第１の識別情報が適正か否かを前記蓄電池パックの外部に設けられたサーバ装置に確認し、
適正であることが確認されると、前記第１の情報端末を前記第１種別の情報端末として前記登録情報に登録する、
請求項３または４記載の蓄電池パックの制御方法。
【請求項２１】
蓄電池パックであって、
第１の情報端末と無線通信可能な第１の無線通信器と、
前記第１の無線通信器と通信可能な無線通信器を備える第１の情報端末が前記第１の無線通信器に近接すると、前記蓄電池パックの内部または外部に設けられた記憶装置に記憶された、前記蓄電池パックに関する情報を取得可能な情報端末が登録される登録情報に、前記第１の情報端末を、前記登録情報の変更が可能か否かに種別して登録する制御器とを備える、
蓄電池パック。
【発明の詳細な説明】
【技術分野】
【０００１】
本開示は、蓄電池パックの制御方法及び蓄電池パックに関する。
【背景技術】
【０００２】
特許文献１には、外部機器と近接無線通信が可能な蓄電池パックが開示されている。外部機器は、蓄電池パックから蓄電池パックの状態を示す情報を近距離無線通信によって取得する。
【先行技術文献】
【特許文献】
【０００３】
【特許文献１】特開２０１４−１９９７２８号公報
【発明の概要】
【発明が解決しようとする課題】
【０００４】
上記蓄電池パックにおいて、情報の保護の観点から、あらかじめ登録された情報端末のみが蓄電池パックから情報を取得できるような構成が考えられる。ここで、情報端末の登録方法については検討の余地がある。
【０００５】
本開示は、上記事情に鑑み、限定的でない例示的なある実施形態は、簡単に情報端末の登録を行うことができる蓄電池パックの制御方法及び蓄電池パックを提供する。
【課題を解決するための手段】
【０００６】
本開示の一態様に係る蓄電池パックの制御方法は、蓄電池パックの制御方法であって、前記蓄電池パックが備える第１の無線通信器と通信可能な無線通信器を備える第１の情報端末であって、前記蓄電池パックの使用者を示す第１の識別情報を保持した第１の情報端末が前記第１の無線通信器に近接すると、前記蓄電池パックの内部または外部に設けられた記憶装置に記憶された、前記蓄電池パックに関する情報を取得可能な情報端末が登録される登録情報に、前記第１の情報端末を、前記登録情報を変更可能な第１種別の情報端末として登録するステップ（ａ）を備える。
【０００７】
本開示の一態様に係る蓄電池パックは、第１の情報端末と無線通信可能な第１の無線通信器と、前記蓄電池パックの使用者を示す第１の識別情報を保持した第１の情報端末が前記第１の無線通信器に近接すると、前記蓄電池パックの内部または外部に設けられた記憶装置に記憶された、前記蓄電池パックに関する情報を取得可能な情報端末が登録される登録情報に、前記第１の情報端末を、前記登録情報を変更可能な第１種別の情報端末として登録する制御器とを備える。
【発明の効果】
【０００８】
本開示の蓄電池パックの制御方法及び蓄電池パックによれば、簡単に情報端末の登録を行うことができる。
【図面の簡単な説明】
【０００９】
【図１】図１は、実施の形態１に係る情報端末の登録システムの概要を示す図である。
【図２】図２は、実施の形態１に係る情報端末の登録方法の概要を示す図である。
【図３】図３は、蓄電池パック及び第１の情報端末の構成を示すブロック図である。
【図４】図４は、蓄電池パックの登録動作の概要を示すフローチャートである。
【図５】図５は、登録情報の一例を示す図である。
【図６】図６は、蓄電池パックの登録動作の詳細を示すフローチャートである。
【図７Ａ】図７Ａは、情報端末に表示される表示画面の例を説明するための第１の図である。
【図７Ｂ】図７Ｂは、情報端末に表示される表示画面の例を説明するための第２の図である。
【図７Ｃ】図７Ｃは、情報端末に表示される表示画面の例を説明するための第３の図である。
【図８】図８は、登録情報の取得及び変更処理のシーケンス図である。
【図９Ａ】図９Ａは、登録情報の取得における表示画面の一例を示す図である。
【図９Ｂ】図９Ｂは、登録情報の変更における表示画面の一例を示す図である。
【図１０】図１０は、蓄電池パックの状態を示す情報の取得処理のシーケンス図である。
【図１１】図１１は、蓄電池パックの状態を示す情報の取得における表示画面の一例を示す図である。
【図１２】図１２は、ＮＦＣと、他の無線通信とが併用される登録システムの構成を示すブロック図である。
【図１３】図１３は、ＮＦＣと、他の無線通信とが併用される登録システムの通信の概要を説明するための図である。
【図１４】図１４は、サーバ装置を含む登録システムの構成を示すブロック図である。
【図１５】図１５は、サーバ装置を含む登録システムにおける通信の概要を説明するための図である。
【図１６】図１６は、実施の形態２に係る蓄電池パックの登録動作のフローチャートである。
【図１７】図１７は、実施の形態３に係る蓄電池パックの登録動作のフローチャートである。
【図１８】図１８は、実施の形態４に係る蓄電池パックの登録動作のフローチャートである。
【図１９】図１９は、実施の形態５に係る蓄電池パックの登録動作のフローチャートである。
【発明を実施するための形態】
【００１０】
本開示の第１態様に係る蓄電池パックの制御方法は、蓄電池パックの制御方法であって、前記蓄電池パックが備える第１の無線通信器と通信可能な無線通信器を備える第１の情報端末であって、前記蓄電池パックの使用者を示す第１の識別情報を保持した第１の情報端末が前記第１の無線通信器に近接すると、前記蓄電池パックの内部または外部に設けられた記憶装置に記憶された、前記蓄電池パックに関する情報を取得可能な情報端末が登録される登録情報に、前記第１の情報端末を、前記登録情報を変更可能な第１種別の情報端末として登録するステップ（ａ）を備える。
【００１１】
これにより、ユーザは、第１の情報端末に第１の識別情報を入力し、蓄電池パックに近づけるだけで、第１の情報端末を第１種別の情報端末として簡単に登録することができる。
【００１２】
ここで、上記近接するとは、第１の情報端末が、第１の情報端末の無線通信器と第１の無線通信器が通信可能な位置まで近づくことを意味する。
【００１３】
また、本開示の第２態様に係る蓄電池パックの制御方法は、上記第１態様の蓄電池パックの制御方法において、前記第１種別の情報端末は、前記登録情報を変更可能であり、かつ、前記蓄電池パックから前記蓄電池パックに関する情報の取得が可能な情報端末であってもよい。
【００１４】
これにより、ユーザは、第１種別の情報端末として登録された第１の情報端末を通じて、例えば、登録情報及び蓄電池パックに関する情報などを取得することができる。
【００１５】
また、本開示の第３態様に係る蓄電池パックの制御方法は、上記第２態様の蓄電池パックの制御方法において、前記蓄電池パックに関する情報は、前記蓄電池パックの状態を示す情報であってもよい。
【００１６】
これにより、ユーザは、第１種別の情報端末として登録された第１の情報端末を通じて、蓄電池パックの状態を示す情報を取得することができる。
【００１７】
また、本開示の第４態様に係る蓄電池パックの制御方法は、上記第２態様の蓄電池パックの制御方法において、前記蓄電池パックに関する情報は、前記蓄電池パックが搭載されている電気機器に関する情報であってもよい。
【００１８】
これにより、ユーザは、第１種別の情報端末として登録された第１の情報端末を通じて、蓄電池パックが搭載されている電気機器に関する情報を取得することができる。
【００１９】
また、本開示の第５態様に係る蓄電池パックの制御方法は、上記第１態様の蓄電池パックの制御方法において、前記第１種別の情報端末として登録された前記第１の情報端末から前記登録情報の変更の指示を受信すると、前記登録情報の内容を変更するステップ（ｂ）をさらに備えてもよい。
【００２０】
これにより、ユーザは、第１の情報端末を通じて登録情報の変更することができる。
【００２１】
また、本開示の第６態様に係る蓄電池パックの制御方法は、上記第１態様の蓄電池パックの制御方法において、前記第１の無線通信器が前記第１の識別情報を受信するステップ（ｃ）と、前記第１の識別情報を受信した後の所定時間内に、前記第１の無線通信器と通信可能な無線通信器を備える第２の情報端末であって、前記第１の識別情報を保持していない第２の情報端末が前記第１の無線通信器に近接すると、前記第２の情報端末を、前記登録情報を変更不可能であり、かつ、前記蓄電池パックから前記登録情報と異なる、前記蓄電池パックに関する他の情報を取得することが可能な情報端末である第２種別の情報端末として前記登録情報に登録するステップ（ｄ）とをさらに備えてもよい。
【００２２】
これにより、ユーザは、第１の識別情報を保持する機器を蓄電池パックに近づけた後、第２の情報端末を、所定時間内に蓄電池パックに近づけることにより、第２の情報端末を第２種別の情報端末として簡単に登録することができる。
【００２３】
また、本開示の第７態様に係る蓄電池パックの制御方法は、上記第１態様の蓄電池パックの制御方法において、前記第１の無線通信器が前記第１の識別情報を受信するステップ（ｃ）と、前記第１の識別情報を受信した後の所定時間内に、前記第１の無線通信器と通信可能な無線通信器を備える第２の情報端末であって、前記第１の識別情報を保持している第２の情報端末が前記第１の無線通信器に近接すると、前記第２の情報端末を前記第１種別の情報端末として前記登録情報に登録するステップ（ｅ）とをさらに備えてもよい。
【００２４】
これにより、ユーザは、第１の識別情報を保持する機器を蓄電池パックに近づけた後、第１の識別情報を入力した第２の情報端末を、所定時間内に蓄電池パックに近づけることにより、第２の情報端末を第１種別の情報端末として簡単に登録することができる。
【００２５】
また、本開示の第８態様に係る蓄電池パックの制御方法は、上記第６態様の蓄電池パックの制御方法において、前記ステップ（ｄ）においては、前記第１の識別情報を保持しておらず、かつ、前記第１の識別情報と異なる第２の識別情報を保持している前記第２の情報端末が近接すると、前記第２の情報端末を第２種別の情報端末として前記登録情報に登録してもよい。
【００２６】
これにより、第２の識別情報を保持していない情報端末が誤って第２種別の情報端末として登録されてしまうことを抑制できる。
【００２７】
また、本開示の第９態様に係る蓄電池パックの制御方法は、上記第６態様の蓄電池パックの制御方法において、前記蓄電池パックに関する他の情報は、前記蓄電池パックの状態を示す情報であってもよい。
【００２８】
これにより、ユーザは、第２種別の情報端末として登録された第２の情報端末を通じて、蓄電池パックの状態を示す情報を取得することができる。
【００２９】
また、本開示の第１０態様に係る蓄電池パックの制御方法は、上記第６態様の蓄電池パックの制御方法において、前記蓄電池パックに関する他の情報は、前記蓄電池パックが搭載されている電気機器に関する情報であってもよい。
【００３０】
これにより、ユーザは、第２種別の情報端末として登録された第２の情報端末を通じて、蓄電池パックが搭載されている電気機器に関する情報を取得することができる。
【００３１】
また、本開示の第１１態様に係る蓄電池パックの制御方法は、上記第６−第８態様の蓄電池パックの制御方法のいずれか一つにおいて、前記ステップ（ｃ）においては、前記第１の情報端末が前記第１の無線通信器に近接することで、前記第１の無線通信器が前記第１の識別情報を受信してもよい。
【００３２】
これにより、ユーザは、第１の情報端末を第１の無線通信器に近接させることで、第２の情報端末の登録処理を開始することができる。
【００３３】
また、本開示の第１２態様に係る蓄電池パックの制御方法は、上記第６−第８態様の蓄電池パックの制御方法のいずれか一つにおいて、前記ステップ（ｃ）においては、前記第１の無線通信器と通信可能な無線通信器を備え、かつ、前記第１の識別情報を保持する第３の情報端末が前記第１の無線通信器に近接することで、前記第１の無線通信器が前記第１の識別情報を受信してもよい。
【００３４】
これにより、ユーザは、第１の情報端末とは異なる第３の情報端末を第１の無線通信器に近接させることにより、第２の情報端末の登録処理を開始することができる。
【００３５】
また、本開示の第１３態様に係る蓄電池パックの制御方法は、上記第６−第８態様の蓄電池パックの制御方法のいずれか一つにおいて、前記ステップ（ｃ）においては、外部機器が前記第１の無線通信器に近接することで、前記第１の無線通信器が前記第１の識別情報を受信し、前記外部機器は、前記第１の無線通信器と通信可能な無線通信器を備える機器であって、前記第１の識別情報を保持し、かつ、前記登録情報を参照不能な機器であってもよい。
【００３６】
これにより、ユーザは、第１の識別情報を保持した外部機器を第１の無線通信器に近接させることにより、第２の情報端末の登録処理を開始することができる。
【００３７】
また、本開示の第１４態様に係る蓄電池パックの制御方法は、上記第１態様の蓄電池パックの制御方法において、前記ステップ（ａ）の前に、識別情報を前記記憶装置に記憶するステップ（ｆ）と、前記第１の情報端末が近接すると、前記第１の情報端末が保持する前記第１の識別情報を取得するステップ（ｇ）と、取得された前記第１の識別情報と記憶された前記識別情報とを照合するステップ（ｈ）とをさらに備え、前記ステップ（ａ）においては、前記照合の結果、取得された前記第１の識別情報と、記憶された前記識別情報とが一致すると、前記第１の情報端末を前記第１種別の情報端末として前記登録情報に登録してもよい。
【００３８】
これにより、記憶装置に記憶された識別情報と異なる識別情報を保持する情報端末が誤って登録されてしまうことを抑制できる。
【００３９】
また、本開示の第１５態様に係る蓄電池パックの制御方法は、上記第１４態様の蓄電池パックの制御方法において、前記ステップ（ｆ）においては、前記第１の無線通信器と通信可能な無線通信器を備える外部機器であって、前記第１の識別情報を保持し、かつ、前記登録情報を参照不能な外部機器が前記第１の無線通信器に近接することで、前記識別情報が前記記憶装置に記憶されてもよい。
【００４０】
これにより、ユーザは、登録カードなどの外部機器を蓄電池パックに近づけることで、第１の識別情報を記憶装置に記憶することができる。
【００４１】
また、本開示の第１６態様に係る蓄電池パックの制御方法は、上記第１態様の蓄電池パックの制御方法において、前記第１の情報端末が近接すると、前記第１の情報端末から前記第１の無線通信器を介して前記第１の識別情報を取得し、取得した前記第１の識別情報が適正か否かを判定するステップ（ｉ）をさらに備え、前記ステップ（ａ）は、前記ステップ（ｉ）において適正であると判定されると実行されてもよい。
【００４２】
これにより、不正な識別情報によって情報端末が登録されてしまうことを抑制できる。
【００４３】
また、本開示の第１７態様に係る蓄電池パックの制御方法は、上記第１態様の蓄電池パックの制御方法において、前記第１の情報端末が近接すると、前記第１の情報端末から前記第１の無線通信器を介して前記第１の識別情報を取得し、取得した前記第１の識別情報が適正か否かを前記蓄電池パックの外部に設けられたサーバ装置に確認するステップ（ｊ）を備え、前記ステップ（ａ）は、前記ステップ（ｊ）において適正であることが確認されると実行されてもよい。
【００４４】
これにより、不正な識別情報によって情報端末が登録されてしまうことを抑制できる。
【００４５】
本発明の一態様に係る蓄電池パックは、第１の情報端末と通信可能な第１の無線通信器と、前記蓄電池パックの使用者を示す第１の識別情報を保持した前記第１の情報端末が前記第１の無線通信器に近接すると、前記蓄電池パックの内部または外部に設けられた記憶装置に記憶された、前記蓄電池パックに関する情報を取得可能な情報端末の登録情報に、前記第１の情報端末を、前記登録情報を変更可能な第１種別の情報端末として登録する制御器とを備える。
【００４６】
これにより、ユーザは、第１の情報端末に第１の識別情報を入力し、蓄電池パックに近づけるだけで、第１の情報端末を第１種別の情報端末として簡単に登録することができる。
【００４７】
以下、実施の形態について、図面を用いて詳細に説明する。なお、以下で説明する実施の形態は、いずれも包括的または具体的な例を示すものである。以下の実施の形態で示される数値、形状、構成要素、構成要素の配置位置及び接続形態、処理のステップ、ステップの順序などは、一例である。したがって、これらの各形態により、本開示が限定されるものではない。また、以下の実施の形態における構成要素のうち、本開示の最上位概念を示す独立請求項に記載されていない構成要素については、任意の構成要素として説明される。
【００４８】
また、各図は、模式図であり、必ずしも厳密に図示されたものではない。なお、各図において、実質的に同一の構成に対しては同一の符号を付しており、重複する説明は省略または簡略化される場合がある。
【００４９】
（実施の形態１）
［概要］
まず、実施の形態１に係る情報端末の登録システムの概要について説明する。図１は、情報端末の登録システムの概要を示す図である。図２は、情報端末の登録方法の概要を示す図である。
【００５０】
図１に示される登録システム１００は、蓄電池パック１０に、第１の情報端末３０及び第２の情報端末４０などの情報端末を登録するシステムである。
【００５１】
蓄電池パック１０は、電気機器に着脱自在に接続され、当該電気機器の直流電源として使用される蓄電池パックであり、ＮＦＣ（Ｎｅａｒ  Ｆｉｅｌｄ  Ｃｏｍｍｕｎｉｃａｔｉｏｎ）モジュールを内蔵する。つまり、蓄電池パック１０は、ＮＦＣモジュールを用いた近距離無線通信が可能である。なお、蓄電池パック１０は、底部に電気機器に着脱自在に接続される端子器を有し、当該端子器を介して電気機器に電力を供給する。
【００５２】
また、第１の情報端末３０及び第２の情報端末４０は、例えば、スマートフォンであり、ＮＦＣモジュールを内蔵する。つまり、第１の情報端末３０及び第２の情報端末４０も、ＮＦＣモジュールを用いた近距離無線通信が可能である。
【００５３】
登録カード２０は、例えば、蓄電池パック１０の初回購入時に、購入したユーザに配布されるＮＦＣ機能搭載のカードである。登録カード２０には、ユーザＩＤが書き込まれたＮＦＣモジュールが内蔵されている。ＮＦＣモジュールに書き込まれたユーザＩＤは、変更及び消去が不可能である。なお、登録カード２０は、ユーザＩＤをユーザに付与するための一つの手段であり、必須ではない。
【００５４】
ここで、第１の情報端末３０を登録情報に登録する場合、ユーザは、図２の（ａ）に示されるように、登録カード２０を蓄電池パック１０にかざす。すると、登録カード２０が有するＮＦＣモジュールに書き込まれたユーザＩＤが、近距離無線通信により蓄電池パック１０に送信され、送信されたユーザＩＤが蓄電池パック１０内の記憶器に記憶される。
【００５５】
一方、ユーザＩＤは、登録カード２０の表面にも文字で記載されている。第１の情報端末３０を登録情報に登録する場合には、ユーザは、登録カード２０に記載されたユーザＩＤを参照して、情報端末にユーザＩＤを入力する。そして、図２の（ｂ）に示されるように、ユーザは、第１の情報端末３０を蓄電池パック１０にかざす。これにより、第１の情報端末３０と蓄電池パック１０との間でＮＦＣモジュールを用いた近距離無線通信が行われ、第１の情報端末３０は、蓄電池パック１０内の登録情報に登録される。
【００５６】
また、登録システム１００においては、１つの蓄電池パック１０に対して、複数の情報端末を登録することも可能である。例えば、第２の情報端末４０をさらに登録することも可能である。第２の情報端末４０を登録する場合も同様に、ユーザは、第２の情報端末４０を蓄電池パック１０にかざせばよい。
【００５７】
第１の情報端末３０及び第２の情報端末４０は、登録情報に登録されることにより、蓄電池パック１０に関する情報を取得する権限が得られる。第１の情報端末３０及び第２の情報端末４０は、上記登録情報に登録されることにより、蓄電池パック１０を制御する権限を取得してもよい。また、実施の形態１においては、第１の情報端末３０及び第２の情報端末４０が登録により取得する権限には、登録情報の変更が可能な高いレベルの権限と、登録情報の変更はできないが蓄電池パック１０からの情報の取得が可能な低いレベルの権限とが含まれる。低いレベルの権限には、蓄電池パック１０の制御、及び蓄電池パック１０が搭載されている電気機器の制御などが可能な権限が含まれていてもよい。また、高いレベルの権限には、低いレベルの権限が含まれていてもよい。高いレベルの権限を有する情報端末は、第１種別の情報端末とも記載され、低いレベルの権限を有する情報端末は、第２種別の情報端末とも記載される。ここで、第２種別の情報端末による登録情報の取得は、許容されてもよい。
【００５８】
なお、第１種別の情報端末及び第２種別の情報端末が蓄電池パック１０から取得可能な蓄電池パック１０に関する情報としては、例えば、蓄電池パック１０の状態を示す情報及び蓄電池パック１０が搭載されている電気機器に関する情報の少なくとも一方が例示される。
【００５９】
蓄電池パック１０の状態を示す情報としては、例えば、蓄電池パック１０の充電量、蓄電池パック１０の温度、蓄電池パック１０の異常を示す情報、及び、蓄電池パック１０の寿命などが挙げられる。
【００６０】
蓄電池パック１０が搭載されている電気機器に関する情報としては、例えば、当該電気機器の名称及び型番などが例示される。また、蓄電池パック１０が搭載されている電気機器に関する情報には、当該電気機器の機能に関連する情報も含まれる。例えば、蓄電池パック１０が電動自転車に搭載されているときには、電動自転車の速度及び走行距離なども蓄電池パック１０が搭載されている電気機器に関する情報に含まれる。蓄電池パック１０が搭載されている電気機器に関する情報は、例えば、蓄電池パック１０が有する通信端子を介して当該電気機器から蓄電池パック１０に送信されるが、ＮＦＣなどの無線通信により送信されてもよい。
【００６１】
なお、第１の情報端末３０の登録に際しては、第１の情報端末３０にダウンロードされた専用のアプリケーションが用いられる。例えば、専用アプリケーションが立ち上げられることにより、第１の情報端末３０の表示器には、上記ユーザＩＤの入力画面などが表示される。
【００６２】
なお、第１の情報端末３０を登録する方法は、専用のアプリケーションを用いる方法に限定されず、どのような方法が用いられてもよい。例えば、第１の情報端末３０がブラウザで特定のＵＲＬにアクセスすることにより、第１の情報端末３０の登録が行われてもよい。
【００６３】
また、上記の登録のためにユーザが行う動作は、ユーザではなく、蓄電池パック１０の販売員などによって行われることも想定される。
【００６４】
［蓄電池パック及び情報端末の構成］
次に、蓄電池パック１０及び第１の情報端末３０の具体的な構成について説明する。図３は、蓄電池パック１０及び第１の情報端末３０の構成を示すブロック図である。なお、第２の情報端末４０については、第１の情報端末３０と同様の構成であるため、図３では図示されず、説明が省略される。
【００６５】
まず、蓄電池パック１０について説明する。図３に示されるように、蓄電池パック１０は、第１の無線通信器１１と、第１制御器１２と、第１記憶器１３と、タイマ器１４と、二次電池１５とを備える。
【００６６】
蓄電池パック１０は、電気機器に着脱自在に接続され、当該電気機器の直流電源として使用される。蓄電池パック１０が接続される電気機器は、例えば、電動車両であるが、特に限定されるものではない。電動車両の一例としては、電動自転車が挙げられる。また、蓄電池パック１０は、機能または用途が異なる複数種類の機器に接続可能なように規格化されていてもよい。
【００６７】
第１の無線通信器１１は、蓄電池パック１０に内蔵された近距離無線通信用の通信モジュールであり、具体的には、ＮＦＣモジュールである。実施の形態１では、第１の無線通信器１１は、リーダー機能及びライター機能の少なくとも一方を有する制御器を含むＮＦＣモジュールである。なお、第１の無線通信器１１は、リーダー機能及びライター機能を有しないＮＦＣモジュールであってもよく、この場合、後述する第２の無線通信器がリーダー機能及びライター機能の少なくとも一方を有するＮＦＣモジュールであればよい。リーダー機能及びライター機能を有しないＮＦＣモジュールは、例えば、ＮＦＣタグである。また、第１の無線通信器１１は、他の無線通信規格に適合したＲＦＩＤモジュールであってもよい。
【００６８】
第１制御器１２は、二次電池１５の充電及び放電の制御、第１の無線通信器１１の制御、タイマ器１４の制御、及び、第１記憶器１３との間の情報の書き込み及び読み出しなどの各種制御を行う制御装置である。第１制御器１２は、制御機能を有するものであればよく、例えば、演算処理部（図示せず）と、制御プログラムを記憶する記憶部（図示せず）とを備える。なお、演算処理部としては、ＭＰＵ、ＣＰＵが例示される。記憶部としては、ハードディスクまたは半導体メモリが例示される。第１制御器１２は、集中制御を行う単独の制御器で構成されていてもよく、互いに協働して分散制御を行う複数の制御器で構成されていてもよい。
【００６９】
第１記憶器１３は、蓄電池パック１０に関する情報を取得可能な情報端末が登録される登録情報が記憶される記憶装置である。なお、第１記憶器１３は、更に、ユーザＩＤ、蓄電池パック１０の状態を示す情報が記憶されていてもよい。第１記憶器１３は、例えば、半導体メモリなど、どのような記憶装置であってもよい。なお、第１記憶器１３は、第１制御器１２とは別に設けられているが、第１制御器１２が備える記憶部に含まれてもよい。また、第１記憶器１３は、本例では、蓄電池パック１０の内部に設けられているが、蓄電池パック１０の外部に設けられてもよい。第１記憶器１３は、例えば、サーバ装置に設けられてもよい。
【００７０】
タイマ器１４は、時間を計測する素子であり、具体的には、マイクロコンピュータまたは専用回路などにより実現される。なお、タイマ器１４は、必須の構成要素ではない。
【００７１】
二次電池１５は、複数の単電池が並列及び直列に接続されることで構成されている。単電池は、言い換えれば、セルであり、具体的には、リチウムイオン電池またはニッケル水素電池などであるが、充電及び放電が可能な電池であれば特に限定されない。
【００７２】
次に、第１の情報端末３０について説明する。図３に示されるように第１の情報端末３０は、第２の無線通信器３１と、第２制御器３２と、第２記憶器３３と、表示器３４と、入力受付器３５とを備える。
【００７３】
第１の情報端末３０は、具体的には、スマートフォン、または、タブレット端末などの情報端末である。
【００７４】
第２の無線通信器３１は、第１の無線通信器１１と通信可能な無線通信器であって、第１の無線通信器１１と近距離無線通信を行うための通信モジュールである。実施の形態１では、第２の無線通信器３１は、ＮＦＣモジュールである。第２の無線通信器３１は、リーダー機能及びライター機能の少なくとも一方を有する制御器を含むＮＦＣモジュールであってもよいし、リーダー機能及びライター機能を有しないＮＦＣモジュールであってもよい。また、第２の無線通信器３１は、第１の無線通信器１１と通信可能な無線通信器であり、第１の無線通信器１１と近距離無線通信が可能であればよい。例えば、第１の無線通信器１１が他の無線通信規格に適合したＲＦＩＤモジュールであれば、第２の無線通信器３１は、当該ＲＦＩＤモジュールと通信可能な同種のＲＦＩＤモジュールであればよい。
【００７５】
第２制御器３２は、第２の無線通信器３１の制御、及び、表示器３４への画像の表示制御などの各種制御を行う。第２制御器３２は、制御機能を有するものであればよく、例えば、演算処理部（図示せず）と、制御プログラムを記憶する記憶部（図示せず）とを備える。なお、演算処理部としては、ＭＰＵ、ＣＰＵが例示される。記憶部としては、ハードディスクまたは半導体メモリが例示される。第２制御器３２は、集中制御を行う単独の制御器で構成されていてもよく、互いに協働して分散制御を行う複数の制御器で構成されていてもよい。
【００７６】
第２記憶器３３は、登録に用いられる専用アプリケーションなどが記憶される記憶装置である。第２記憶器３３は、例えば、半導体メモリなど、どのような記憶装置であってもよい。なお、第２記憶器３３は、第２制御器３２が備える記憶器に含まれてもよく、必須の構成要素ではない。
【００７７】
表示器３４は、例えば、液晶パネルまたは有機ＥＬパネルなどにより構成され、動画及び静止画を表示する表示装置である。なお、表示器３４は、タッチパネルを備え、ユーザが第１の情報端末３０に指示を与えるための入力インターフェースとして機能してもよい。
【００７８】
入力受付器３５は、登録カード２０に記載されたユーザＩＤの入力など、ユーザの入力を受け付ける入力インターフェースである。入力受付器３５は、具体的には、表示器３４に重ね合わされるタッチパネルであるが、ハードウェアボタンであってもよい。入力受付器３５は、表示器３４とともにＧＵＩ（Ｇｒａｐｈｉｃａｌ  Ｕｓｅｒ  Ｉｎｔｅｒｆａｃｅ）を構成する。
【００７９】
［情報端末の登録動作］
次に、第１の情報端末３０を登録情報に登録する場合の蓄電池パック１０の動作（蓄電池パックの制御方法）について説明する。まず、蓄電池パック１０の動作の概要について説明する。図４は、蓄電池パック１０の登録動作の概要を示すフローチャートである。
【００８０】
ユーザは、第１の情報端末３０に登録カード２０に記載されたユーザＩＤ（以下、このユーザＩＤをユーザＩＤ１と記載する）を入力した後、第１の情報端末３０を蓄電池パック１０に近づける。ここで、第１の情報端末３０が第１の無線通信器１１に近接すると（Ｓ１０でＹＥＳ）、第１制御器１２は、蓄電池パック１０の内部の第１記憶器１３に記憶された登録情報に、第１の情報端末３０を第１種別の情報端末として登録する（Ｓ１１）。なお、ここでの近接とは、第１の情報端末３０が、当該第１の情報端末３０の第２の無線通信器３１が第１の無線通信器１１と通信可能な範囲まで近づくことである。
【００８１】
ここで、上述のように、第１の情報端末３０は、第１の無線通信器１１と通信可能な第２の無線通信器３１を備え、かつ、蓄電池パック１０のユーザを示すユーザＩＤ１を保持した情報端末である。ユーザＩＤ１は、第１の識別情報の一例である。
【００８２】
また、上記第１種別の情報端末は、登録情報を変更可能な情報端末であって、かつ、蓄電池パック１０から提供される情報の取得が可能な情報端末である。また、登録情報には、第１種別の情報端末よりも低いレベルの権限を有する第２種別の情報端末も登録されている。第２種別の情報端末は、登録情報を変更不可能であり、かつ、蓄電池パック１０から登録情報と異なる他の蓄電池パック１０に関する情報を取得することが可能な情報端末である。
【００８３】
このように、登録情報には、第１種別の情報端末及び第２種別の情報端末、すなわち、蓄電池パック１０から提供される情報の取得が可能な情報端末が登録されている。図５は、登録情報の一例を示す図である。図５に示されるように、登録情報においては、端末ＩＤと、端末の種別とが対応付けられている。なお、端末ＩＤは、上述のユーザＩＤとは異なるＩＤであって、情報端末を個別に特定するためのＩＤであり、情報端末のＭＡＣアドレス及び情報端末が無線通信を行う際に割り振られるＩＤなど、どのようなＩＤが用いられてもよい。
【００８４】
次に、第１の情報端末３０などの情報端末を登録情報に登録する場合の蓄電池パック１０の詳細な動作について説明する。図６は、蓄電池パック１０の登録動作の詳細を示すフローチャートである。
【００８５】
まず、蓄電池パック１０に登録カード２０に記憶されたユーザＩＤ１を記憶させるための処理である、ステップＳ２０〜Ｓ２３について説明する。
【００８６】
まず、第１の無線通信器１１は、登録カード２０からユーザＩＤ１を受信する（Ｓ２０）。具体的には、蓄電池パック１０の第１の無線通信器１１は、あらかじめ検出信号（磁界）を送信している。このとき、ユーザが登録カード２０を蓄電池パック１０に近づけると、登録カード２０内部のコイルが磁気を受けて電流を発生し、当該電流により、登録カード２０内のＮＦＣモジュールが起動する。そして、登録カード２０内のＮＦＣモジュールは、当該ＮＦＣモジュールに記憶されたユーザＩＤ１を第１の無線通信器１１に送信し、第１の無線通信器１１は、登録カード２０から送信されるユーザＩＤ１を受信する。
【００８７】
次に、第１制御器１２は、第１記憶器１３にユーザＩＤが記憶済であるか否かを判断する（Ｓ２１）。第１記憶器１３にユーザＩＤが記憶されていない場合（Ｓ２１でＮＯ）、第１制御器１２は、受信したユーザＩＤ１を第１記憶器１３に記憶し（Ｓ２２）、ステップＳ２４の処理が行われる。
【００８８】
一方、第１記憶器１３にユーザＩＤが記憶済である場合（Ｓ２１でＹＥＳ）、第１制御器１２は、ユーザＩＤ１が第１記憶器１３に記憶されたユーザＩＤと一致するか否かを判定する（Ｓ２３）。ユーザＩＤ１が第１記憶器１３に記憶されたユーザＩＤと一致する場合（Ｓ２３でＹＥＳ）、ステップＳ２４の処理が行われ、ユーザＩＤ１が第１記憶器１３に記憶されたユーザＩＤと一致しない場合（Ｓ２３でＮＯ）は、登録失敗と判定され、処理は終了する。
【００８９】
以上説明したステップＳ２０〜Ｓ２３の処理は、ステップＳ２４以降の情報端末の登録処理を行うためのトリガとなる処理である。つまり、第１記憶器１３にユーザＩＤが記憶されると、ユーザは、当該ユーザＩＤを保持する登録カード２０を蓄電池パック１０に近付けなければ、ステップＳ２４以降の処理を開始させて新たに情報端末の登録を行うことができない。
【００９０】
なお、ステップＳ２０においては、第１の無線通信器１１は、登録カード２０に代えて、ユーザＩＤ１を保持する情報端末から、当該ユーザＩＤ１を受信してもよい。言い換えれば、ユーザは、第１記憶器１３に記憶されたユーザＩＤ１を保持する情報端末を蓄電池パック１０に近づけることによっても、ステップＳ２４以降の処理を開始させることができる。つまり、ユーザは、ユーザＩＤ１を保持する情報端末を登録カード２０の代わりに使用することもできる。なお、ステップＳ２０〜Ｓ２３の処理は、必須ではない。
【００９１】
次に、ステップＳ２４以降の処理について説明する。なお、以下の図６の説明では第１記憶器１３には、ユーザＩＤ１が記憶されているものとする。
【００９２】
まず、第１制御器１２は、タイマ器１４を起動し、所定時間Ｔ１の計測を開始し（Ｓ２４）、所定時間Ｔ１が満了したか否かを判定する（Ｓ２５）。所定時間Ｔ１が満了した場合（Ｓ２５でＹＥＳ）には、登録失敗と判定され、処理は終了する。
【００９３】
所定時間Ｔ１が満了していないと（Ｓ２５でＮＯ）、第１制御器１２は、情報端末が近接しているか否かを判定する（Ｓ２６）。第１の無線通信器１１は、例えば、所定時間Ｔ１の間、情報端末の近接を検出するための検出信号を送信し、検出信号に対する応答を受信すると、情報端末が近接していると判定する。なお、第１の無線通信器１１は、所定時間Ｔ１の間待機し、待機中に情報端末から信号を受信すると、情報端末が近接していると判定してもよい。つまり、信号の送信が情報端末側から開始されてもよく、例えば、第１の無線通信器１１がリーダー機能及びライター機能を有しないＮＦＣモジュールの場合には、第２の無線通信器３１から信号の送信が開始される。
【００９４】
情報端末が近接していないと判定されると（Ｓ２６でＮＯ）、第１制御器１２は、ステップＳ２５の所定時間Ｔ１が満了したか否かの判定処理を行う。情報端末が近接していると判定されると（Ｓ２６でＹＥＳ）、第１制御器１２は、近接した情報端末からＩＤを受信したか否かを判定する（Ｓ２７）。なお、ＩＤは、上述の検出信号の応答または待機中に受信される信号に含まれてもよいし、別の信号として情報端末から送信されてもよい。
【００９５】
近接した情報端末からユーザＩＤを受信したと判定されると（Ｓ２７でＹＥＳ）、第１制御器１２は、受信したユーザＩＤがユーザＩＤ１と一致するか否かを判定する（Ｓ２８）。つまり、第１制御器１２は、ユーザＩＤの照合を行う。
【００９６】
受信したユーザＩＤがユーザＩＤ１と一致すると（Ｓ２８でＹＥＳ）、第１制御器１２は、情報端末を第１種別の情報端末として第１記憶器１３内の登録情報に登録する（Ｓ２９）。なお、図６では図示されないが、登録に使用される端末ＩＤは、登録前に情報端末から送信され、第２の無線通信器３１によって受信されている。端末ＩＤは、ユーザＩＤとともに送信されてもよいし、ユーザＩＤとは別に送信されてもよい。受信したユーザＩＤがユーザＩＤ１と一致しないと（Ｓ２８でＮＯ）、第１制御器１２は、ステップＳ２５の所定時間Ｔ１が満了したか否かの判定処理を行う。
【００９７】
一方、ステップＳ２７において近接した情報端末からＩＤを受信していないと判定されると（Ｓ２７でＮＯ）、第１制御器１２は、情報端末を第２種別の情報端末として第１記憶器１３内の登録情報に登録する（Ｓ３０）。なお、登録が完了した場合、蓄電池パック１０は、登録の完了をユーザに通知するためにブザー音などを出音してもよい。この場合、蓄電池パック１０は、出音器を備える。
【００９８】
以上説明したような蓄電池パック１０の動作により、ユーザは、情報端末を登録情報に登録することができる。なお、所定時間Ｔ１の間であれば、ユーザは、続けて複数の情報端末を登録することもできる。なお、所定時間Ｔ１は、任意の値が適宜設定される。所定時間Ｔ１は、例えば、ステップＳ２０を実行したユーザと無関係の第３者にステップＳ２６を実行され、第１種別の情報端末または第２種別の情報端末として登録されることを防ぐためのタイムアウト時間として設定されてもよい。
【００９９】
なお、上述のように、情報端末を登録する場合には、当該情報端末において専用のアプリケーションが実行される。専用のアプリケーションの実行により、情報端末に表示される表示画面の例について説明する。図７Ａ〜図７Ｃは、情報端末に表示される表示画面の例を説明するための図である。
【０１００】
ユーザが第１の情報端末３０を蓄電池パック１０に登録する際に、専用のアプリケーションが立ち上げられると、表示器３４には、例えば、図７Ａに示されるようなユーザＩＤの入力画面が表示される。入力受付器３５は、入力画面に入力されたユーザＩＤを受け付け、第２制御器３２は、ユーザＩＤを含む信号を第２の無線通信器３１に送信させる。送信された信号が第１の無線通信器１１によって受信されることにより、上記ステップＳ２７において、第１制御器１２は、近接した情報端末からユーザＩＤを受信したと判定する。
【０１０１】
そして、上記ステップＳ２９またはステップＳ３０の処理が行われて登録が完了すると、表示器３４には、図７Ｂに示されるような、登録の完了を通知する画像が表示される。一方で、登録に失敗すると、表示器３４には、図７Ｃに示されるような、登録の失敗を通知する画像が表示される。なお、これらの画像は、第２の無線通信器３１が、登録の完了を示す信号または登録の失敗を示す信号を、第１の無線通信器１１から受信することを契機に表示される。
【０１０２】
［登録情報の取得及び蓄電池パックの状態を示す情報の取得］
登録情報に第１種別の情報端末として登録された情報端末は、登録情報の取得及び変更が可能である。以下、第１の情報端末３０が第１種別の情報端末として登録された場合の、登録情報の取得及び変更処理の内容について説明する。図８は、登録情報の取得及び変更処理のシーケンス図である。図９Ａ及び図９Ｂは、登録情報の取得及び変更における表示画面の一例を示す図である。
【０１０３】
図８に示されるように、入力受付器３５は、登録情報を要求するユーザの入力を受け付ける（Ｓ１００）。第２制御器３２は、入力受付器３５が受け付けた入力に応じて、第２の無線通信器３１を用いて登録情報の要求を送信する（Ｓ１０１）。登録情報の要求には、第１の情報端末３０の端末ＩＤが含まれる。
【０１０４】
送信された登録情報の要求は、第１の無線通信器１１によって受信され（Ｓ２００）、第１制御器１２は、登録情報を参照することにより受信された要求に含まれる端末ＩＤが第１種別の情報端末として登録されていることを確認する（Ｓ２０１）。そして、第１制御器１２は、受信された要求に応じて登録情報を第１記憶器１３から読み出し、読み出した登録情報を、第１の無線通信器１１を用いて第１の情報端末３０に送信する（Ｓ２０２）。
【０１０５】
第２制御器３２は、送信された登録情報を第２の無線通信器３１を用いて受信し（Ｓ１０２）、図９Ａに示されるように、受信した登録情報を表示器３４に表示させる（Ｓ１０３）。
【０１０６】
さらに、入力受付器３５が登録情報を変更するユーザの入力を受け付けると（Ｓ１０４）、第１制御器１２は、入力受付器３５が受け付けた入力に応じて、第２の無線通信器３１を用いて登録情報の変更指示を送信する（Ｓ１０５）。
【０１０７】
送信された登録情報の変更指示は、第１の無線通信器１１によって受信され（Ｓ２０３）、第１制御器１２は、受信された要求に応じて第１記憶器１３内の登録情報を変更する（Ｓ２０４）。そして、第１制御器１２は、第１の無線通信器１１を用いて第１の情報端末３０に変更の完了を通知する（Ｓ２０５）。
【０１０８】
第２制御器３２は、第２の無線通信器３１を用いて通知を受信し（Ｓ１０６）、図９Ｂに示されるように、変更完了を示す画像を表示器３４に表示させる（Ｓ１０７）。
【０１０９】
一方、登録情報に第１種別の情報端末として登録された情報端末と、登録情報に第２種別の情報端末として登録された情報端末とは、蓄電池パック１０の状態を示す情報の取得が可能である。図１０は、蓄電池パック１０の状態を示す情報の取得処理のシーケンス図である。図１１は、蓄電池パック１０の状態を示す情報の取得における表示画面の一例を示す図である。
【０１１０】
図１０に示されるように、入力受付器３５は、蓄電池パック１０の状態を示す情報を要求するユーザの入力を受け付ける（Ｓ１１０）。第２制御器３２は、入力受付器３５が受け付けた入力に応じて、第２の無線通信器３１を用いて蓄電池パック１０の状態を示す情報の要求を送信する（Ｓ１１１）。蓄電池パック１０の状態を示す情報の要求には、第１の情報端末３０の端末ＩＤが含まれる。
【０１１１】
送信された蓄電池パック１０の状態を示す情報の要求は、第１の無線通信器１１によって受信される（Ｓ２１０）。第１制御器１２は、登録情報を参照することにより、受信された要求に含まれる端末ＩＤが登録されていることを確認する（Ｓ２１１）。そして、第１制御器１２は、受信された要求に応じて蓄電池パック１０の状態を示す情報を第１記憶器１３から読み出し、読み出した蓄電池パック１０の状態を示す情報を、第１の無線通信器１１を用いて第１の情報端末３０に送信する（Ｓ２１２）。
【０１１２】
第２制御器３２は、送信された蓄電池パック１０の状態を示す情報を第２の無線通信器３１を用いて受信し（Ｓ１１２）、図１１に示されるように、受信した蓄電池パック１０の状態を示す情報を表示器３４に表示させる（Ｓ１１３）。図１１では、表示器３４には、蓄電池パック１０の状態を示す情報の一例として、充電残量が表示されている。また、入力受付器３５が、蓄電池パック１０が搭載されている電気機器に関する情報を要求するユーザの入力を受け付けた場合も、図１０と同様の処理が行われる。この場合、図１１に示されるように、表示器３４には、蓄電池パック１０が搭載されている電気機器の名称などが表示される。
【０１１３】
［効果等］
以上説明したように、第１の情報端末３０を第１種別の情報端末として登録したい場合、ユーザは、第１の情報端末３０にユーザＩＤ１を入力し、蓄電池パック１０に近づければよい。このとき、蓄電池パック１０の第１制御器１２は、蓄電池パック１０のユーザを示すユーザＩＤ１を保持した第１の情報端末３０が第１の無線通信器１１に近接すると、蓄電池パック１０の内部または外部に設けられた第１記憶器１３に記憶された、前記記憶装置に記憶された蓄電池パック１０に関する情報を取得可能な情報端末の登録情報に、第１の情報端末３０を、登録情報を変更可能な第１種別の情報端末として登録する。このような処理は、図４及び図６に例示されている。
【０１１４】
これにより、ユーザは、第１の情報端末３０にユーザＩＤ１を入力し、蓄電池パック１０に近づけることにより、第１の情報端末３０を第１種別の情報端末として簡単に登録することができる。
【０１１５】
なお、第１種別の情報端末は、より詳細には、登録情報を変更可能な情報端末であり、かつ、蓄電池パック１０から蓄電池パック１０に関する情報の取得が可能な情報端末である。
【０１１６】
したがって、ユーザは、第１種別の情報端末として登録された第１の情報端末３０を通じて、登録情報及び登録情報以外の他の蓄電池パック１０に関する情報を取得することができる。
【０１１７】
また、上記蓄電池パック１０に関する情報は、具体的には、例えば、蓄電池パック１０の状態を示す情報、または、蓄電池パック１０が搭載されている電気機器に関する情報である。
【０１１８】
これにより、ユーザは、第１種別の情報端末として登録された第１の情報端末３０を通じて、蓄電池パック１０の状態を示す情報、または、蓄電池パック１０が搭載されている電気機器に関する情報を取得することができる。
【０１１９】
また、蓄電池パック１０は、第１の情報端末３０から登録情報の変更の指示を受信すると、登録情報の内容を変更する。このような処理は、図８に例示される。
【０１２０】
これにより、ユーザは、第１の情報端末３０を通じて登録情報を変更することができる。
【０１２１】
また、第２の情報端末４０を第２種別の情報端末としてさらに登録したい場合、ユーザは、まず、登録カード２０またはユーザＩＤ１を入力した第１の情報端末３０を蓄電池パック１０に近づける。その後、ユーザは、ユーザＩＤを入力していない第２の情報端末４０を、所定時間Ｔ１内に蓄電池パック１０に近づければよい。
【０１２２】
このとき、第１の無線通信器１１は、ユーザＩＤ１を受信し、蓄電池パック１０の第１制御器１２は、第１の無線通信器１１がユーザＩＤ１を受信した後の所定時間Ｔ１内に、ユーザＩＤ１を保持していない第２の情報端末４０が第１の無線通信器１１に近接すると、第２の情報端末４０を第２種別の情報端末として登録情報に登録する。このような処理は、図６に例示されている。ここで、第２種別の情報端末は、登録情報を変更不可能であり、かつ、蓄電池パック１０から登録情報と異なる、蓄電池パック１０に関する他の情報を取得することが可能な情報端末である。
【０１２３】
これにより、ユーザは、登録カード２０またはユーザＩＤ１を入力した第１の情報端末３０などのユーザＩＤ１を保持する機器を蓄電池パック１０に近づけた後、第２の情報端末４０を、所定時間Ｔ１内に蓄電池パック１０に近づけることにより、第２の情報端末４０を第２種別の情報端末として簡単に登録することができる。
【０１２４】
また、上記蓄電池パック１０に関する他の情報は、具体的には、例えば、蓄電池パック１０の状態を示す情報、または、蓄電池パック１０が搭載されている電気機器に関する情報である。
【０１２５】
これにより、ユーザは、第２種別の情報端末として登録された第２の情報端末４０を通じて、蓄電池パック１０の状態を示す情報、または、蓄電池パック１０が搭載されている電気機器に関する情報を取得することができる。
【０１２６】
また、第２の情報端末４０を第１種別の情報端末としてさらに登録したい場合、ユーザは、まず、登録カード２０またはユーザＩＤ１を入力した第１の情報端末３０を蓄電池パック１０に近づける。その後、ユーザは、ユーザＩＤ１を入力した第２の情報端末４０を、所定時間Ｔ１内に蓄電池パック１０に近づければよい。
【０１２７】
このとき、第１の無線通信器１１は、ユーザＩＤ１を受信し、蓄電池パック１０の第１制御器１２は、ユーザＩＤ１を受信した後の所定時間内に、ユーザＩＤ１を保持している第２の情報端末４０が第１の無線通信器１１に近接すると、第２の情報端末４０を第１種別の情報端末として登録情報に登録する。このような処理は、図６に例示されている。ここで、第２の情報端末４０は、第１の無線通信器１１と通信可能な無線通信器を備える。
【０１２８】
これにより、ユーザは、登録カード２０またはユーザＩＤ１を入力した第１の情報端末３０などのユーザＩＤ１を保持する機器を蓄電池パック１０に近づけた後、ユーザＩＤ１を入力した第２の情報端末４０を、所定時間Ｔ１内に蓄電池パック１０に近づけることにより、第２の情報端末４０を第１種別の情報端末として簡単に登録することができる。
【０１２９】
なお、上記第２の情報端末４０を登録する前には、第１の情報端末３０が第１の無線通信器１１に近接することで、第１の無線通信器１１がユーザＩＤ１を受信する。
【０１３０】
これにより、ユーザは、第１の情報端末３０を第１の無線通信器１１に近接させることで、第２の情報端末４０の登録処理を開始することができる。
【０１３１】
また、上記第２の情報端末４０を登録する前には、第３の情報端末が第１の無線通信器１１に近接することで、第１の無線通信器１１がユーザＩＤ１を受信してもよい。ここで、第３の情報端末は、第１の無線通信器１１と通信可能な無線通信器を備え、かつ、ユーザＩＤ１を保持する情報端末である。
【０１３２】
これにより、ユーザは、第１の情報端末３０とは異なる第３の情報端末を第１の無線通信器１１に近接させることにより、第２の情報端末４０の登録処理を開始することができる。
【０１３３】
また、外部機器が前記第１の無線通信器１１に近接することで、第１の無線通信器１１がユーザＩＤ１を受信し、外部機器は、第１の無線通信器１１と通信可能な無線通信器を備える機器であって、ユーザＩＤ１を保持し、かつ、登録情報を参照不能な機器であってもよい。ここで、外部機器の一例は、登録カード２０である。
【０１３４】
これにより、ユーザは、ユーザＩＤ１を保持した外部機器を第１の無線通信器１１に近接させることにより、第２の情報端末４０の登録処理を開始することができる。
【０１３５】
また、蓄電池パック１０の第１制御器１２は、より詳細には、登録の前にユーザＩＤを第１記憶器１３に記憶し、第１の情報端末３０が近接すると、第１の情報端末が保持するユーザＩＤ１を取得し、取得されたユーザＩＤ１と記憶されたユーザＩＤとを照合する。そして、第１制御器１２は、照合の結果、取得されたユーザＩＤ１と、記憶されたユーザＩＤとが一致すると、第１の情報端末３０を第１種別の情報端末として登録情報に登録する。このような処理は、図６に例示される。
【０１３６】
これにより、ユーザＩＤ１と異なるユーザＩＤを保持する情報端末が誤って登録されてしまうことを抑制できる。また、適正なユーザＩＤではない偽造ユーザＩＤを保持する情報端末が登録されてしまうことを抑制できる。
【０１３７】
また、上記記憶においては、より詳細には、外部機器が前記第１の無線通信器１１に近接することで、前記識別情報が前記記憶器に記憶され、外部機器は、第１の無線通信器１１と通信可能な無線通信器を備える機器であって、ユーザＩＤ１を保持し、かつ、登録情報を参照不能な機器である。ここで、外部機器の一例は、登録カード２０である。
【０１３８】
これにより、ユーザは、登録カード２０などの外部機器を蓄電池パック１０に近づけることで、ユーザＩＤ１を第１記憶器１３に記憶することができる。
【０１３９】
［変形例１］
上記実施の形態１では、蓄電池パック１０と第１の情報端末３０との間の通信は、ＮＦＣであったが、ＮＦＣと、他の無線通信とが併用されてもよい。以下、このような変形例について説明する。図１２は、ＮＦＣと、他の無線通信とが併用される登録システムの構成を示すブロック図である。図１３は、ＮＦＣと、他の無線通信とが併用される登録システムの通信の概要を説明するための図である。
【０１４０】
図１２に示される登録システム１００ａは、蓄電池パック１０ａと、第１の情報端末３０ａとを備える。なお、登録システム１００ａは、さらに他の情報端末を備えてもよい。
【０１４１】
蓄電池パック１０ａは、蓄電池パック１０と異なり、第３の無線通信器１６を備える。
【０１４２】
第３の無線通信器１６は、例えば、Ｂｌｕｅｔｏｏｔｈ（登録商標）（以下単にＢＴと記載される）の通信規格に準拠した通信モジュール（通信回路）である。ＢＴの通信規格に基づく通信は、ＮＦＣよりも通信距離が長く、通信可能な情報量が多く、通信速度が速い。なお、第３の無線通信器１６は、Ｚｉｇｂｅｅ（登録商標）などの他の通信規格に対応した通信モジュールであってもよい。
【０１４３】
また、第１の情報端末３０ａは、第１の情報端末３０と異なり、第４の無線通信器３６を備える。第４の無線通信器３６は、第３の無線通信器１６と通信可能な無線通信器である。つまり、第３の無線通信器１６がＢＴの通信規格に準拠した通信モジュールであれば、第４の無線通信器３６も、ＢＴの通信規格に準拠した通信モジュールであり、第３の無線通信器１６がＺｉｇｂｅｅ（登録商標）の通信規格に準拠した通信モジュールであれば、第４の無線通信器３６も、Ｚｉｇｂｅｅ（登録商標）の通信規格に準拠した通信モジュールである。
【０１４４】
図１３に示されるように、登録システム１００ａにおいては、いわゆるハンドオーバーが行われる。具体的には、図１３に示されるように、ＢＴの通信規格に基づく通信を行うためのペアリングがＮＦＣ（第１の無線通信器１１及び第２の無線通信器３１）を用いて行われ（Ｓ４００）、その後は、第３の無線通信器１６及び第４の無線通信器３６を用いてＢＴの通信規格に基づく通信が行われる（Ｓ４０１）。
【０１４５】
このような登録システム１００ａが用いられ、上記実施の形態１において第１の無線通信器１１と第２の無線通信器３１との通信を用いて行われる処理の少なくとも一部が第３の無線通信器１６と第４の無線通信器３６との通信を用いて行われてもよい。例えば、情報端末の登録は、第１の無線通信器１１と第２の無線通信器３１との通信によって行われ、登録情報の取得及び蓄電池パックの状態を示す情報の取得などは、第３の無線通信器１６と第４の無線通信器３６との通信によって行われてもよい。
【０１４６】
［変形例２］
登録システムには、サーバ装置（クラウドサーバ）が含まれてもよい。第１の情報端末３０及び３０ａがスマートフォンなどである場合には、第１の情報端末３０及び３０ａは、携帯電話機能に対応した無線通信器をさらに備える。このような無線通信器を用いることにより、蓄電池パック１０及び１０ａとサーバ装置との通信が可能である。図１４は、サーバ装置を含む登録システムの構成を示すブロック図である。図１５は、サーバ装置を含む登録システムにおける通信の概要を説明するための図である。
【０１４７】
図１４に示される登録システム１００ｂは、蓄電池パック１０ａと、第１の情報端末３０ｂとを備える。なお、登録システム１００ａは、さらに他の情報端末を備えてもよい。蓄電池パック１０ａは、図１２に示される蓄電池パック１０ａと同様の構成である。
【０１４８】
また、第１の情報端末３０ｂは、第１の情報端末３０ａと異なり、第５の無線通信器３７を備える。第５の無線通信器３７は、サーバ装置５０と無線通信を行うための通信モジュール（通信回路）であり、例えば、いわゆる３Ｇまたは４Ｇの移動体通信に対応した通信モジュールである。また、第５の無線通信器３７は、Ｗｉ−Ｆｉ（登録商標）などの無線ＬＡＮに対応した通信モジュールであってもよい。
【０１４９】
このような、登録システム１００ｂにおいては、上記実施の形態１で蓄電池パック１０が行う処理の一部を、サーバ装置５０が行うことができる。
【０１５０】
例えば、上記実施の形態１の登録システム１００においては、登録カード２０から受信されるユーザＩＤ１は、第１記憶器１３に記憶されるが、ユーザＩＤ１は、サーバ装置５０に記憶されてもよい。つまり、サーバ装置５０は、蓄電池パック１０ａの外部に設けられた記憶装置として機能してもよい。以下、このような動作例について図１５を用いて説明する。
【０１５１】
まず、ＢＴの通信規格に基づく通信を行うためのペアリングがＮＦＣ（第１の無線通信器１１及び第２の無線通信器３１）を用いて行われる（Ｓ４００）。次に、第１の無線通信器１１が近接した登録カード２０からＮＦＣにより受信したユーザＩＤ１は、第３の無線通信器１６及び第４の無線通信器３６を用いたＢＴの通信規格に基づく通信により、第１の情報端末３０ｂに送信される（Ｓ４０１）。そして、ユーザＩＤは、第５の無線通信器３７によってサーバ装置５０に送信され（Ｓ４０２）、サーバ装置５０内に記憶される。
【０１５２】
また、上記実施の形態１で、ユーザが第１種別の情報端末として登録したい情報端末を近付けたときに行われるユーザＩＤの照合も、サーバ装置５０において行われてよい。同様に、登録情報がサーバ装置５０に記憶され、蓄電池パック１０ａは、情報端末を、サーバ装置５０内の登録情報に登録してもよい。つまり、蓄電池パック１０ａは、蓄電池パック１０ａの外部に設けられた記憶装置であるサーバ装置５０に記憶された登録情報に情報端末を登録してもよい。
【０１５３】
この場合、ＮＦＣを用いてペアリングが行われ（Ｓ４００）、情報端末から受信したユーザＩＤは、第１制御器１２が第３の無線通信器１６を介して送信する照合及び登録の指示とともに、ＢＴの通信規格に基づく通信により、第１の情報端末３０ｂに送信される（Ｓ４０１）。そして、ユーザＩＤ並びに登録及び照合の指示は、第５の無線通信器３７によってサーバ装置５０に送信され（Ｓ４０２）、サーバ装置５０において既に記憶されているユーザＩＤと一致するかの照合と、照合結果に基づく登録とが行われる。その後、サーバ装置５０は、登録結果を第５の無線通信器３７に送信する（Ｓ４０３）。
【０１５４】
なお、情報端末がサーバ装置５０内の登録情報に登録される場合、情報端末を個別に特定するための端末ＩＤも、図１５に示される通信シーケンスにしたがってサーバ装置５０に送信される。
【０１５５】
なお、登録結果は、必要に応じて、ＢＴの通信規格に基づく通信により、さらに、蓄電池パック１０ａに送信されてもよい（Ｓ４０４）。例えば、蓄電池パック１０ａが出音器（図示せず）を備え、登録が完了した場合に出音する場合には、登録結果が蓄電池パック１０ａに送信される。
【０１５６】
（実施の形態２）
［実施の形態２に係る情報端末の登録動作］
実施の形態２では、ユーザＩＤ１に加えてサブＩＤ１が第１記憶器１３に記憶される例について説明する。図１６は、実施の形態２に係る蓄電池パック１０の登録動作のフローチャートである。サブＩＤ１は、第２の識別情報の一例であって、情報端末を第２種別の情報端末として登録するか否かの判定に用いられるＩＤである。
【０１５７】
なお、以下の実施の形態２では、図６で説明されたステップと実質的に同一のステップについては同一の符号が付されて説明が省略される。また、図６と重複する説明についても省略される。実施の形態２では、上述の登録システム１００（蓄電池パック１０、及び第１の情報端末３０）を用いた登録動作について説明するが、登録システム１００ａまたは登録システム１００ｂを用いて同様の登録動作が行われてもよい。
【０１５８】
実施の形態２では、登録カード２０には、ユーザＩＤ１及びサブＩＤ１が記憶されている。ユーザが登録カード２０を蓄電池パック１０に近づけると、第１の無線通信器１１は、登録カード２０から送信されるユーザＩＤ１及びサブＩＤ１を受信する（Ｓ４０）。
【０１５９】
次に、第１制御器１２は、第１記憶器１３にユーザＩＤが記憶済であるか否かを判断する（Ｓ２１）。第１記憶器１３にユーザＩＤが記憶されていない場合（Ｓ２１でＮＯ）、第１制御器１２は、受信したユーザＩＤ１及びサブＩＤ１を第１記憶器１３に記憶し（Ｓ４１）、ステップＳ２４の処理が行われる。
【０１６０】
その後、近接した情報端末からＩＤを受信したと判定され（Ｓ２７でＹＥＳ）、かつ、受信したＩＤがユーザＩＤ１と一致しないと（Ｓ２８でＮＯ）、第１制御器１２は、受信したユーザＩＤがサブＩＤ１と一致するか否かを判定する（Ｓ４２）。受信したＩＤがサブＩＤ１と一致すると（Ｓ４２でＹＥＳ）、第１制御器１２は、情報端末を第２種別の情報端末として第１記憶器１３内の登録情報に登録する（Ｓ３０）。一方、受信したＩＤがサブＩＤ１と一致しないと（Ｓ４２でＮＯ）、第１制御器１２は、ステップＳ２５の所定時間Ｔ１が満了したか否かの判定処理を行う。
【０１６１】
［実施の形態２の効果等］
実施の形態２では、第２の情報端末４０を第２種別の情報端末としてさらに登録したい場合、ユーザは、まず、登録カード２０またはユーザＩＤ１及びサブＩＤ１を入力した第１の情報端末３０を蓄電池パック１０に近づける。その後、ユーザは、サブＩＤ１を入力した第２の情報端末４０を、所定時間Ｔ１内に蓄電池パック１０に近づければよい。
【０１６２】
このとき、第１制御器１２は、ユーザＩＤ１を保持しておらず、かつ、ユーザＩＤ１と異なるサブＩＤ１を保持している第２の情報端末４０が近接すると、第２の情報端末４０を第２種別の情報端末として登録情報に登録する。
【０１６３】
これにより、サブＩＤ１を保持していない情報端末が誤って第２種別の情報端末として登録されてしまうことを抑制できる。
【０１６４】
（実施の形態３）
［実施の形態３に係る情報端末の登録動作］
実施の形態３では、情報端末から受信したユーザＩＤが第１記憶器１３に記憶されていないとき、ユーザＩＤが適正なＩＤであるかの判定に基づき、情報端末が登録情報に登録される例について説明する。図１７は、実施の形態３に係る蓄電池パック１０の登録動作のフローチャートである。
【０１６５】
なお、以下の実施の形態３では、図６で説明されたステップと実質的に同一のステップについては同一の符号が付されて説明が省略される。また、図６と重複する説明についても省略される。蓄電池パック１０及び第１の情報端末３０の構成は、図３に示される構成と同様である。実施の形態３では、上述の登録システム１００（蓄電池パック１０、及び第１の情報端末３０）を用いた登録動作について説明するが、登録システム１００ａまたは登録システム１００ｂを用いて同様の登録動作が行われてもよい。
【０１６６】
まず、第１の無線通信器１１は、第１の情報端末３０からユーザＩＤ１を受信する（Ｓ２０）。次に、第１制御器１２は、第１記憶器１３にユーザＩＤが記憶済であるか否かを判断する（Ｓ２１）。第１記憶器１３にユーザＩＤが記憶されていない場合（Ｓ２１でＮＯ）、第１制御器１２は、受信したユーザＩＤ１が適正なユーザＩＤであるかを判定する（Ｓ５０）。
【０１６７】
例えば、適正なユーザＩＤがいわゆるシリアルナンバー（プロダクトキー）のように、所定のルールに基づいて生成されていれば、第１制御器１２は、所定のアルゴリズムにより、ユーザＩＤ１が適正であるか否かを判定することができる。
【０１６８】
受信したユーザＩＤ１が適正なユーザＩＤであると判定されると（Ｓ５０でＹＥＳ）、第１制御器１２は、ユーザＩＤ１を第１記憶器１３に記憶し（Ｓ２２）、ステップＳ２９の処理が行われる。一方、ユーザＩＤ１が適正でないと判定されると（Ｓ５０でＮＯ）は、登録失敗として取り扱われ、処理は終了する。
【０１６９】
また、第１記憶器１３にユーザＩＤが記憶されている場合であっても（Ｓ２１でＹＥＳ）、第１の情報端末３０から受信したユーザＩＤ１が第１記憶器１３に記憶されていない場合（Ｓ２３でＮＯ）、第１制御器１２は、受信したユーザＩＤ１が適正なユーザＩＤであるかを判定する（Ｓ５０）。
【０１７０】
また、第１の情報端末３０から受信したユーザＩＤ１が第１記憶器１３に記憶されている場合（Ｓ２３でＹＥＳ）、ステップＳ２４の処理に進む。以降のステップは、図６と同様であるので、その説明を省略する。
【０１７１】
なお、ステップＳ２１を省略しても、ステップＳ２３の存在によりフローとしては実質的に変わらないので、ステップＳ２１を省略してもよい。
【０１７２】
［実施の形態３の効果等］
このように、蓄電池パック１０の第１制御器１２は、第１の情報端末３０が近接すると、第１の情報端末３０から第１の無線通信器１１を介してユーザＩＤ１を取得する。取得したユーザＩＤ１が第１記憶器１３に記憶されていないとき、ユーザＩＤ１が適正か否かを判定する。そして、ユーザＩＤ１が適正であると判定されると、第１制御器１２により第１の情報端末３０が第１種別の情報端末として登録される。
【０１７３】
これにより、不正なユーザＩＤによって情報端末が登録されてしまうことを抑制できる。
【０１７４】
なお、登録システム１００ｂにおいては、ユーザＩＤ１が適正なユーザＩＤであるかの判定は、蓄電池パック１０の外部に設けられたサーバ装置５０によって行われてもよい。
【０１７５】
この場合には、蓄電池パック１０ａの第１制御器１２は、第１の情報端末３０ｂが近接すると、第１の情報端末３０ｂから第１の無線通信器１１を介してユーザＩＤ１を取得する。取得したユーザＩＤ１が第１記憶器１３に記憶されていないとき、ユーザＩＤ１が適正か否かを蓄電池パック１０ａの外部に設けられたサーバ装置５０に確認する。具体的には、図１５を用いて説明した通信シーケンスに基づきユーザＩＤ１の送受信が行われ、ユーザＩＤ１が適正か否かの判定はサーバ装置５０が行われる。そして、ユーザＩＤ１が適正であると判定されると、第１制御器１２により第１の情報端末３０が第１種別の情報端末として登録される。
【０１７６】
これにより、不正なユーザＩＤによって情報端末が登録されてしまうことを抑制できる。
【０１７７】
（実施の形態４）
［実施の形態４に係る情報端末の登録動作］
実施の形態４では、第１種別の情報端末及び第２種別の情報端末の区別がない例について説明する。つまり、実施の形態４では、登録情報に登録された情報端末が、全て第１種別の情報端末と同様の権限を有するか、あるいは、全て第２種別の情報端末と同様の権限を有する例について説明する。図１８は、実施の形態４に係る蓄電池パック１０の登録動作のフローチャートである。
【０１７８】
なお、以下の実施の形態４では、図６で説明されたステップと実質的に同一のステップについては同一の符号が付されて説明が省略される。また、図６と重複する説明についても省略される。蓄電池パック１０及び第１の情報端末３０の構成は、図３に示される構成と同様である。実施の形態４では、上述の登録システム１００（蓄電池パック１０、及び第１の情報端末３０）を用いた登録動作について説明するが、登録システム１００ａまたは１００ｂを用いて同様の登録動作が行われてもよい。
【０１７９】
ステップＳ２７において、近接した情報端末からユーザＩＤを受信したと判定されると（Ｓ２７でＹＥＳ）、第１制御器１２は、受信したユーザＩＤがユーザＩＤ１と一致するか否かを判定する（Ｓ２８）。受信したユーザＩＤがユーザＩＤ１と一致すると（Ｓ２８でＹＥＳ）、第１制御器１２は、情報端末を第１記憶器１３内の登録情報に登録する（Ｓ６０）。一方、受信したユーザＩＤがユーザＩＤ１と一致しないと（Ｓ２８でＮＯ）、第１制御器１２は、ステップＳ２５の所定時間Ｔ１が満了したか否かの判定処理を行う。ステップＳ２７において近接した情報端末からＩＤを受信していないと判定された場合も（Ｓ２７でＮＯ）、第１制御器１２は、ステップＳ２５の所定時間Ｔ１が満了したか否かの判定処理を行う。
【０１８０】
［実施の形態４の効果等］
以上説明したように、第１種別の情報端末及び第２種別の情報端末の区別は必須ではない。ユーザＩＤ１が入力された情報端末は、全て第１種別の情報端末として登録されてもよいし、全て第２種別の情報端末として登録されてもよい。
【０１８１】
（実施の形態５）
［実施の形態５に係る情報端末の登録動作］
実施の形態５では、情報端末へのユーザＩＤの入力が省略される例について説明する。
つまり、実施の形態５の例では、ユーザは、ユーザＩＤの入力を行っていない情報端末を蓄電池パックに近づけることにより、当該情報端末を登録情報に登録することができる。図１９は、実施の形態５に係る蓄電池パック１０の登録動作のフローチャートである。
【０１８２】
なお、以下の実施の形態５では、図６で説明されたステップと実質的に同一のステップについては同一の符号が付されて説明が省略される。また、図６と重複する説明についても省略される。実施の形態５では、上述の登録システム１００（蓄電池パック１０、及び第１の情報端末３０）を用いた登録動作について説明するが、登録システム１００ａまたは１００ｂを用いて同様の登録動作が行われてもよい。
【０１８３】
また、実施の形態５では、実施の形態４と同様に第１種別の情報端末及び第２種別の情報端末の区別がない場合について説明する。
【０１８４】
ステップＳ２５において所定時間Ｔ１が満了していないと（Ｓ２５でＮＯ）、第１制御器１２は、情報端末が近接しているか否かを判定する（Ｓ２６）。情報端末が近接していないと判定されると（Ｓ２６でＮＯ）、第１制御器１２は、ステップＳ２５の所定時間Ｔ１が満了したか否かの判定処理を行う。
【０１８５】
一方、情報端末が近接していると判定されると（Ｓ２６でＹＥＳ）、第１制御器１２は、近接した情報端末を第１記憶器１３内の登録情報に登録する（Ｓ６０）。なお、ステップＳ２６で蓄電池パックに近接していると判定された情報端末には、ユーザＩＤが入力されていない。つまり、情報端末は、ユーザＩＤを保持していない。
【０１８６】
［実施の形態５の効果等］
以上説明したように、ユーザＩＤ１の入力は必須ではない。このような構成であっても、情報端末の登録処理を開始するためには、登録カード２０またはユーザＩＤ１を入力した第１の情報端末３０などのユーザＩＤ１を保持する機器を蓄電池パック１０に近づける必要があるため、一定の制限の下で登録処理が行われるといえる。
【０１８７】
（その他の実施の形態）
以上のように、本出願において開示する技術の例示として、実施の形態１〜５を説明した。しかしながら、本開示における技術は、これに限定されず、適宜、変更、置き換え、付加、省略などを行った実施の形態にも適用可能である。また、上記実施の形態１〜５で説明した各構成要素を組み合わせて、新たな実施の形態とすることも可能である。
【０１８８】
例えば、誤って登録動作が行われないように、蓄電池パックは、初期状態（出荷時）には蓄電池パックの筐体の第１の無線通信器に対応する領域に、電波遮蔽物が貼られていてもよい。電波遮蔽物は、具体的には、アルミシートなどの金属シートである。また、誤って登録動作が行われないように、蓄電池パックには、登録動作を開始するための押しボタンが設けられてもよい。ユーザは、当該押しボタンを押してからユーザＩＤ１を保持する機器を蓄電池パックに近づけることで、ユーザＩＤ１を第１記憶器に記憶することができる。
【０１８９】
また、上記各実施の形態において、各構成要素（例えば、第１制御器及び第２制御器など）は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【０１９０】
また、本開示は、システム、方法、集積回路、コンピュータプログラムまたはコンピュータ読み取り可能なＣＤ−ＲＯＭなどの記録媒体として実現されてもよく、システム、方法、集積回路、コンピュータプログラム、及び記録媒体の任意な組み合わせで実現されてもよい。例えば、本開示は、上記実施の形態に係る蓄電池パックまたは登録システムとして実現されてもよい。また、本開示は、上記実施の形態に係る第１制御器が実行するプログラムとして実現されてもよい。
【０１９１】
また、上記各実施の形態において、特定の処理部が実行する処理を別の処理部が実行してもよい。また、複数の処理の順序が変更されてもよいし、複数の処理が並行して実行されてもよい。
【０１９２】
以上、一つまたは複数の態様に係る蓄電池パックの制御方法について、実施の形態に基づいて説明したが、本開示は、この実施の形態に限定されるものではない。本開示の趣旨を逸脱しない限り、当業者が思いつく各種変形を本実施の形態に施した形態、及び、異なる実施の形態における構成要素を組み合わせて構築される形態も、一つまたは複数の態様の範囲内に含まれてもよい。
【産業上の利用可能性】
【０１９３】
本開示は、例えば、電動車両などの電源として使用される蓄電池パックに用いることができる。
【符号の説明】
【０１９４】
１０、１０ａ  蓄電池パック
１１  第１の無線通信器
１２  第１制御器
１３  第１記憶器
１４  タイマ器
１５  二次電池
１６  第３の無線通信器
２０  登録カード
３０、３０ａ、３０ｂ  第１の情報端末
３１  第２の無線通信器
３２  第２制御器
３３  第２記憶器
３４  表示器
３５  入力受付器
３６  第４の無線通信器
３７  第５の無線通信器
４０  第２の情報端末
５０  サーバ装置
１００、１００ａ、１００ｂ  登録システム
【図１】
0006650602.tif 000002
【図２】
0006650602.tif 000003
【図３】
0006650602.tif 000004
【図４】
0006650602.tif 000005
【図５】
0006650602.tif 000006
【図６】
0006650602.tif 000007
【図７Ａ】
0006650602.tif 000008
【図７Ｂ】
0006650602.tif 000009
【図７Ｃ】
0006650602.tif 000010
【図８】
0006650602.tif 000011
【図９Ａ】
0006650602.tif 000012
【図９Ｂ】
0006650602.tif 000013
【図１０】
0006650602.tif 000014
【図１１】
0006650602.tif 000015
【図１２】
0006650602.tif 000016
【図１３】
0006650602.tif 000017
【図１４】
0006650602.tif 000018
【図１５】
0006650602.tif 000019
【図１６】
0006650602.tif 000020
【図１７】
0006650602.tif 000021
【図１８】
0006650602.tif 000022
【図１９】
0006650602.tif 000023